(57)【特許請求の範囲】
【請求項１】
エスカレータの乗降板に着脱自在に取り付けられるカバーと、
前記カバー内側に収容され、エスカレータの踏段に当接する油拭き取り材と、
を備え、
前記踏段が移動しても前記油拭き取り材の移動が前記カバーによって規制され、
前記カバーは、前記乗降板から前記踏段が送り出されるときの踏段送り出し方向下流側で下方に折れ曲がって前記油拭き取り材の収容部を形成している折れ曲がり部を備え、前記踏段が前記乗降板から送り出されても前記油拭き取り材の移動が前記折れ曲がり部で規制されており、
前記油拭き取り材がシート状であって芯材に巻き付けられており、
前記収容部の寸法は、前記芯材に前記油拭き取り材が巻き付けられてなる巻付け体の外形に合わせられており、
前記乗降板に前記カバーが取り付けられたときに、前記油拭き取り材の端部が前記カバーと前記乗降板との間に挟持される構成にされていることを特徴とするエスカレータ踏段清掃具。
【請求項２】
前記乗降板にコムをビス止めしているビスで前記カバーが前記乗降板に取り付け可能であることを特徴とする請求項１記載のエスカレータ踏段清掃具。
【発明の詳細な説明】
【技術分野】
【０００１】
本発明の実施形態は、エスカレータの踏段に付着した飛散油を除去するエスカレータ踏段清掃具に関する。
【背景技術】
【０００２】
エスカレータの踏段では、多数本の溝が上面側に配列されている。具体的には、踏段上面側に、踏段の出し入れ方向に沿って溝が配列されている。
【０００３】
このような踏段では、溝内の塵埃を除去することが行われている（例えば特許文献１参照）。
【先行技術文献】
【特許文献】
【０００４】
【特許文献１】特開2008-056491号公報
【発明の概要】
【発明が解決しようとする課題】
【０００５】
ところで、このような踏段には、エスカレータ駆動用チェーンに給油された潤滑油が飛散してなる飛散油が付着する。
【０００６】
従来、このようにして付着した飛散油を除去する際、踏段の移動を停止、すなわちエスカレータの稼働を停止させて、作業員がウエス等を持って、１段ずつ清掃している。
【０００７】
本発明は上記課題に鑑みてなされたものであり、簡単な装置構成で、エスカレータの稼働を停止させずに効率的に飛散油を除去することを可能にするエスカレータ踏段清掃具を提供することを課題とする。
【課題を解決するための手段】
【０００８】
本発明の実施形態に係るエスカレータ踏段清掃具は、エスカレータの乗降板に着脱自在に取り付けられるカバーと、カバー内側に収容され、エスカレータの踏段に当接する油拭き取り材と、を備える。そして、踏段が移動しても油拭き取り材の移動がカバーによって規制される。
【図面の簡単な説明】
【０００９】
【図１】実施形態のエスカレータ踏段清掃具が着脱自在に取り付けられるエスカレータの全体斜視図である。
【図２】（ａ）は、実施形態のエスカレータ踏段清掃具がエスカレータに取り付けられていることを示す平面図であり、（ｂ）は、（ａ）の矢視２ｂ−２ｂの側面図である。
【発明を実施するための形態】
【００１０】
以下、に、添付図面を参照して、実施形態に係るエスカレータ踏段清掃具について説明する。
【００１１】
図１で、（ａ）は、本発明の一実施形態（以下、本実施形態という）のエスカレータ踏段清掃具がエスカレータに取り付けられていることを示す平面図であり、（ｂ）は、（ａ）の矢視２ｂ−２ｂの側面図である。
【００１２】
本実施形態のエスカレータ踏段清掃具１６が取り付けられるエスカレータ１０は、両サイド側のスカートガード８の間を移動する踏段１２と、踏段１２の両サイド側の欄干９とを有する。それぞれの欄干９には、踏段１２と同期して移動する移動手摺り１１が設けられている。
【００１３】
本実施形態のエスカレータ踏段清掃具１６は、エスカレータ１０の乗降板１４に着脱自在に取り付けられるカバー１８と、カバー１８内側に収容され、エスカレータ１０の踏段１２に当接する油拭き取り材２０（例えばウエス）と、を備えている。
【００１４】
そして、踏段１２が移動しても油拭き取り材２０の移動がカバー１８によって規制される構成になっている。具体的には、カバー１８は、先端側、すなわち踏段送り出し方向下流側で下方に折れ曲がって油拭き取り材２０の収容部Ｓを形成している折れ曲がり部１８ｆを備え、踏段１２が乗降板１４から送り出されても油拭き取り材２０の移動が折れ曲がり部１８ｆで規制される構成になっている。
【００１５】
また、乗降板１４の踏段送り出し側１４ｆは、この収容部Ｓの壁面を形成している。そして、油拭き取り材２０がシート状であって芯材２２に巻き付けられており、収容部Ｓの寸法は、芯材２２に油拭き取り材２０が巻き付けられてなる巻付け体２４の外形に合わせられている。
【００１６】
更に、本実施形態では、乗降板１４にカバー１８が取り付けられたときに、油拭き取り材２０の端部２０ｂがカバー１８と乗降板１４との間に挟持される構成にされている。
【００１７】
また、本実施形態では、乗降板１４にコム２６（踏段１２の送り出し側に櫛状に延び出した歯２６ｔを有する部材）をビス止めしているビス２８でカバー１８を乗降板１４に取り付け可能とされている。そして、カバー１８には、カバー１８の幅方向（すなわち、カバー１８を乗降板１４にビス止めしたときにはエスカレータ幅方向）に細長い凹部１８ｄと、凹部１８ｄを貫通する開口１８ｍとが形成されている。この凹部１８ｄおよび開口１８ｍは、コム２６のビス止め用（ねじ止め用）のビス２８でカバー１８を乗降板１４に固定するために形成されたものである。本実施形態のエスカレータ１０では、１つのコム２６を、エスカレータ幅方向に配列される２本のビス２８がビス止めする構成にされており、これに合わせて、凹部１８ｄおよび開口１８ｍはカバー１８の幅方向に細長い形状にされている。
【００１８】
（作用、効果）
以下、本実施形態の作用、効果を説明する。本実施形態では、踏段１２が乗降板１４の下側から送り方向Ｆへ送り出される側にエスカレータ踏段清掃具１６を取り付ける例で説明する。
【００１９】
本実施形態のエスカレータ踏段清掃具１６を用いてエスカレータ１０の踏段１２の飛散油（エスカレータ駆動用チェーンに給油された潤滑油が飛散して付着したもの）を清掃で除去するには、まず、エスカレータ１０の乗降板１４にビス止めされているコム２６を取り外す。その際、エスカレータ１０の稼働は停止しておくことが好ましい。
【００２０】
なお、本実施形態では、コム２６はエスカレータ幅方向に複数並べられており、エスカレータ踏段清掃具１６の幅（すなわちカバー１８の幅。例えば１０ｃｍ程度）が１つのコム２６の幅と同寸法にされている。
【００２１】
そして、コム２６を取り外した位置に、以下のようにしてエスカレータ踏段清掃具１６を取り付ける。
【００２２】
まず、芯材２２にシート状の油拭き取り材２０が巻き付けられてなる巻付け体２４を、カバー１８の収容部Ｓに収容させる。
【００２３】
そして、コム２６が配置されていた位置にカバー１８を配置し、取り外したビス２８で、カバー１８を乗降板１４にねじ止めする。その際、油拭き取り材２０の端部２０ｂがカバー１８と乗降板１４との間に挟持されるようにする。
【００２４】
この結果、エスカレータ踏段清掃具１６が乗降板１４に取り付けられるとともに、収容部Ｓ内の油拭き取り材２０が下面側で踏段１２に当接した状態となる。
【００２５】
この状態でエスカレータ１０を稼働させることで、踏段１２が乗降板１４から送り出される際に、踏段１２に付着している飛散油が油拭き取り材２０で拭き取られる。従って、エスカレータ１０の稼働状態で踏段１２の飛散油を除去することができ、飛散油の除去作業時（清掃時）にエスカレータ１０を停止させなくても済む。
【００２６】
従って、作業者がエスカレータ踏段清掃具１６を取り付けるだけで、各踏段１２を１段毎に作業員が飛散油の除去作業を直接に行わなくても各踏段１２を連続して除去作業を行うことができるので、除去作業の作業時間が大幅に短縮されるとともに作業効率が大幅に向上する。更に、ウエス等の油拭き取り材２０の位置がエスカレータ踏段清掃具１６に固定されており、作業員が油拭き取り材を移動させなくても済むので、この効果が更に顕著となる。
【００２７】
また、カバー１８を乗降板１４に取り付ける際、コム２６を固定していた既存のビス孔１４ｈとビス２８とを用いて取り付けるので、構成が簡素であり、しかもエスカレータ踏段清掃具１６の使用にあたってビスを準備する必要がない。その上、開口１８ｍが細長状であり、種々のタイプのコムに対して、このように、コムを固定していた既存のビス孔とビスとを用いてカバー１８を乗降板１４に取り付け可能である。
【００２８】
なお、エスカレータ踏段清掃具１６が乗降板１４に取り付けられたときに、油拭き取り材２０が踏段１２の溝壁面や溝底面に十分に当接していると、踏段１２の溝壁面や溝底面に付着している飛散油が効率良く拭き取られて好適である。
【００２９】
以上、いくつかの実施形態を説明したが、これらの実施形態は、例として提示したものであり、発明の範囲はそれらに限定することは意図していない。
【００３０】
また、これらの実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００３１】
１０…エスカレータ、１２…踏段、１４…乗降板、１６…エスカレータ踏段清掃具、１８…カバー、１８ｆ…折れ曲がり部、２０…油拭き取り材、２０ｂ…端部、２２…芯材、２４…巻付け体、２６…コム、２８…ビス、Ｓ…収容部
【図１】
0005911540.tif 000002
【図２】
0005911540.tif 000003